(57)【要約】      （修正有）【課題】見栄えをよくして購買欲をあおるとともに、米を取り出す開口部の形成および残存する米の変質劣化を防ぐための前記開口部の封止が容易になされて自宅での使用性を向上させ、携行が容易であり、かつ携行時の安全性を向上させることができる米袋を提供する。【解決手段】紙料液に稲藁の短繊維１６を混合して抄造した和紙と、その裏側のヒートシール性樹脂フィルムとの複合層からなるシート材の長手方向の１辺５を折り曲げ、長手向の他辺部６を第１ヒートシール７により封止して前シート部８と後シート部とを連続して対向させる。そして、長手方向の一端部を第２ヒートシール１０で封止して、長手方向の他端部に開口部１１を開設し、第１ヒートシール７の長手方向中央部に手提げ孔１２を設け、第２ヒートシール１０に平行して開閉自在な樹脂製のチャック１３を設ける。【選択図】図１
0003144274.tif 000002
【実用新案登録請求の範囲】
【請求項１】
紙料液に稲藁の短繊維を混合して抄造した和紙と、この和紙の裏側にラミネートされたヒートシール性樹脂フィルムとの複合層からなるシート材の長手方向の１辺が折り曲げられ、該長手方向の１辺に平行な長手方向の他辺部が第１ヒートシールにより封止されて前シート部と後シート部が連続して互いに対向しているとともに、長手方向の一端部を幅方向に延在する第２ヒートシールにより封止して、長手方向の他端部に開口部が開設され、
前記第１ヒートシールの長手方向中央部およびその付近の一部を切り抜いて手提げ孔が設けられ、
第２ヒートシールから前記開口部側に離れた位置には、前記前シート部のヒートシール性樹脂フィルムと前記後シート部のヒートシール性樹脂フィルムの一方に幅方向に延在して熱圧着されて突出する凸条部と、前記各ヒートシール性樹脂フィルムの他方に幅方向に延在して熱圧着されて前記凸条部を抜脱可能に嵌合する嵌合溝部とを備えた開閉自在な樹脂製のチャックが設けられていることを特徴とする米袋。
【請求項２】
請求項１に記載の米袋において、
前記手提げ孔は長手方向にのびる長円形であることを特徴とする米袋。
【考案の詳細な説明】
【技術分野】
【０００１】
本考案は、米袋に係り、詳しくは、自宅での使用性および携行時の安全性を向上させた米袋に関するものである。
【背景技術】
【０００２】
従来の米袋として、たとえば特許文献１に記載のものが提案されている。この特許文献１に記載の米袋を図６に示す。この図において、米袋５０は、長手方向の寸法Ｌが幅方向の寸法Ｗよりも十分に大きい長方形を呈するポリエチレン樹脂製フィルムやポリプロピレン樹脂製フィルムからなる前パネル５１と後パネル５２とを重ね合わせ、その長手方向の両辺部を側縁シール５３により封止し、長手方向の一端部側は、長手方向に所定の間隔を有して幅方向に延在する下口元シール５４と、上口元シール５５および補強シール５６によって封止して、長手方向の他端部に開口部５７を開設するとともに、下口元シール５４と上口元シール５５の間に手提げ孔５８を設けたものである。
【０００３】
前記構成の米袋５０によれば、開口部５７を上に向けて所定量の米を充填した後、幅方向に延在する底シール５９により開口部５７を封止することで米袋５０内に米を封入してスーパマーケットや米販売店の店頭に陳列して販売に供することができ、購入者は手提げ孔５８を利用して携行することができる。
【０００４】
【特許文献１】特開２００８−２４３５２号公報
【考案の開示】
【考案が解決しようとする課題】
【０００５】
ところが、前記特許文献１に記載の米袋５０は、その表面がポリエチレン樹脂製フィルムやポリプロピレン樹脂製フィルムからなる前パネル５１と後パネル５２によって構成されているので外観が単純で見栄えがよくない。また、自宅で米袋５０内の米を取り出す場合、米袋５０の前パネル５１と後パネル５２とを下口元シール５４の近傍に平行して描いた一点鎖線Ｃに沿って全てを切断して米袋５０の長手方向の一端部を大きく切り開くか、あるいは一点鎖線Ｃにおけるｗで示す一部を切断して米袋５０の長手方向の一端部を小さく切り開く煩雑な作業を必要とする。しかも、前記の切り開き口を利用してストッカーに米の全量を投入する作業が困難であるため、米袋５０内に米が残存する場合や、当初より切り開き口から炊飯に必要な量の米を小出しする場合などでは、米袋５０内に残存している米の変質劣化を防ぐために切り開き口をクリップなどで密封する煩雑な手間が必要になるので、自宅での使用性に劣る。
【０００６】
一方、手提げ孔５８は、幅方向の寸法Ｗよりも十分に大きい長手方向の一端部側に設けられているため、米袋５０は寸法Ｌの大きい長手方向を上下に指向した状態で携行されることになる。そのため、携行時における米袋５０の揺動振幅が大きくなるので携行し辛いばかりか、米袋５０の下端からスーパマーケットや米販売店の通路あるいは自宅の床までの間隔が小さいので、通路あるいは床に目視し難い障害物が存在していていると、この障害物に誤って米袋５０が衝突して破損し、封入されている米がこぼれ落ちて飛散するおそれを有しているので携行時の安全性に劣る。
【０００７】
本考案は、このような問題を解決するものであって、その目的とするところは、見栄えをよくして購買欲をあおるとともに、米を取り出す際に利用する開口部の形成および残存する米の変質劣化を防ぐための前記開口部の封止が容易になされて自宅での使用性を向上させ、携行が容易であり、かつ携行時の安全性を向上させることができる米袋を提供することにある。
【課題を解決するための手段】
【０００８】
前記目的を達成するために、本考案に係る米袋は、紙料液に稲藁の短繊維を混合して抄造した和紙と、この和紙の裏側にラミネートされたヒートシール性樹脂フィルムとの複合層からなるシート材の長手方向の１辺が折り曲げられ、該長手方向の１辺に平行な長手方向の他辺部が第１ヒートシールにより封止されて前シート部と後シート部が連続して互いに対向しているとともに、長手方向の一端部を幅方向に延在する第２ヒートシールにより封止して、長手方向の他端部に開口部が開設され、前記第１ヒートシールの長手方向中央部およびその付近の一部を切り抜いて手提げ孔が設けられ、第２ヒートシールから前記開口部側に離れた位置には、前記前シート部のヒートシール性樹脂フィルムと前記後シート部のヒートシール性樹脂フィルムの一方に幅方向に延在して熱圧着されて突出する凸条部と、前記各ヒートシール性樹脂フィルムの他方に幅方向に延在して熱圧着されて前記凸条部を抜脱可能に嵌合する嵌合溝部とを備えた開閉自在な樹脂製のチャックが設けられていることを特徴としている。
なお、前記「紙料液」とは、楮などの和紙の原料と、清水およびネリなどが混合した抄造用の液体をいう。
【０００９】
本考案に係る米袋によれば、表側の和紙によって和紙独特の優雅な雰囲気を醸しだすことと、稲藁の短繊維の視認によって、米袋に充填されている米は稲から取り入れられていることを購入者の視覚に訴えて米生成の再確認を促すことができることとの複合作用により、見栄えをよくして購買欲をあおることができるとともに、充填されている米の変質劣化は、ヒートシール性樹脂フィルムの非通気性によって防止することができる。
【００１０】
また、長手方向の他端部に開設した開口部を上に向けて所定量の米を充填した後、該開口部を幅方向に延在する第３ヒートシールにより封止することで米袋内に米を封入してスーパマーケットや米販売店の店頭に陳列して販売に供することができ、購入者は手提げ孔を利用して携行することができる。
【００１１】
一方、自宅では、第２ヒートシールと樹脂製のチャックの間を幅方向の全長にわたって切断して樹脂製のチャックを視認可能位置に臨ませ、この樹脂製のチャックを開くことで米を取り出す開口部が形成され、開いた樹脂製のチャックを閉じることで米を取り出す開口部が封止されて、残存する米の変質劣化を防ぐことができる。樹脂製のチャックが前シート部のヒートシール性樹脂フィルムと後シート部のヒートシール性樹脂フィルムの一方に幅方向に延在して熱圧着されて突出する樹脂製の凸条部と、前記各ヒートシール性樹脂フィルムの他方に幅方向に延在して熱圧着されて前記凸条部を抜脱可能に嵌合する樹脂製の嵌合溝部とで構成されていることにより、嵌合溝部から凸条部を抜脱する簡単な操作によって樹脂製のチャックが開かれて米を取り出すための開口部を形成することができ、嵌合溝部に凸条部を嵌合する簡単な操作によって樹脂製のチャックが閉じられて前記開口部を封止することができるので自宅での使用性が向上する。
【００１２】
他方、手提げ孔は、第１ヒートシールの一部を切り抜いて設けられているので、長手方向の寸法が幅方向の寸法よりも大きい通常の米袋であると、この米袋は寸法の大きい長手方向を横に指向した状態で携行されることになる。したがって、携行時における米袋の揺動振幅が小さく抑制されるので携行が容易になる。しかも、米袋の下端から路面や床面までの間隔を大きく確保できるので、路面や床面に目視し難い障害物が存在していても、この障害物との衝突を回避できるから携行時の安全性が向上する。特に、手提げ孔が第１ヒートシールの長手方向中央部およびその付近の一部を切り抜いて設けられていることによって、米袋の携行時には米袋の長手方向の中央部が自動的に把持されることになるので、長手方向を横に指向した状態でバランスよく携行して、携行時の安全性の向上に寄与することができる。
【００１３】
また、本考案に係る米袋は、前記手提げ孔を長手方向にのびる長円形にすることが好ましい。これによると、米袋の携行時には、提げ手側の指における第１指（親指）を除く第２指〜第５指（人差し指，中指，薬指，小指）の４本の指を手提げ孔に挿通して把持することができるので、手提げした時に指に加わる米の重量を４本の指に分散して、各指の負担を軽減して携行時の痛みを和らげることができる。
【考案の効果】
【００１４】
本考案に係る米袋によれば、和紙と稲藁との複合作用により、見栄えをよくして購買欲をあおるとともに、米を取り出す際に利用する開口部の形成および残存する米の変質劣化を防ぐための前記開口部の封止が容易になされて自宅での使用性が向上し、携行が容易であり、かつ携行時における下端から路面や床面までの間隔を大きく確保して、路面や床面に存在している目視し難い障害物との衝突を回避することで携行時の安全性を向上させることができる。
【考案を実施するための最良の形態】
【００１５】
以下、本考案の好ましい実施形態を図面に基づいて説明する。
図１は本考案の実施形態を示す正面図、図２は図１のＩＩ−ＩＩ線に沿う断面図、図３は図１のＩＩＩ−ＩＩＩ線に沿うチヤックの嵌合状態を示す断面図、図４はチヤックの開き状態を示す断面図である。
【００１６】
図１〜図４において、米袋１は、長手方向の寸法Ｌが幅方向の寸法Ｗよりも十分に大きい長方形を呈する表側の和紙２と、この和紙２の裏側全面にラミネートされたポリエチレン樹脂製フィルムやポリプロピレン樹脂製フィルムなどのヒートシール性樹脂フィルム３との複合層からなるシート材４によって構成されている。そして、和紙２は、紙料液に稲藁の短繊維１６を混合して抄造されており、このシート材４の長手方向の１辺５が折り曲げられ、該長手方向の１辺５に平行な長手向の他辺部６を第１ヒートシール７により封止することで、前シート部８と後シート部９が連続して互いに対向しているとともに、長手方向の一端部を幅方向に延在する第２ヒートシール１０により封止して、長手方向の他端部に開口部１１を開設している。なお、前シート部８の表面に米の銘柄などが表示され、後シート部９表面に精米所名などが表示される。
【００１７】
一方、プレス加工により第１ヒートシール７における長手方向中央部およびその付近の一部を長手方向にのびる長円形に切り抜いて手提げ孔１２が設けられ、第２ヒートシール１０から少し開口部１１側に離間した位置には、第２ヒートシール１０に平行で開閉自在な樹脂製のチャック１３が幅方向に延在して設けられている。
【００１８】
前記開閉自在な樹脂製のチャック１３は、ヒートシール性樹脂フィルム３に熱圧着されており、前シート部８のヒートシール性樹脂フィルム３に熱圧着されて後シート部９に向けて突出する凸条部１３ａと、後シート部９のヒートシール性樹脂フィルム３に熱圧着されて凸条部１３ａを抜脱可能に嵌合する嵌合溝部１３ｂとを備え、常時は、図３のように凸条部１３ａが嵌合溝部１３ｂに抜脱可能かつ気密に嵌合して閉じられている。
【００１９】
前記構成によれば、表側の和紙２によって和紙独特の優雅な雰囲気を醸しだすことと、稲藁の短繊維１６の視認によって、米袋１に充填されている米は稲から取り入れられていることを購入者の視覚に訴えて米生成の再確認を促すことができることとの複合作用により、米袋１の見栄えをよくして購買欲をあおることができるとともに、充填されている米の変質劣化は、ヒートシール性樹脂フィルム３の非通気性によって防止することができる。
【００２０】
米袋１は、図１の長手方向の他端部に開設した開口部１１から所定量の米を充填した後、該開口部１１を幅方向に延在する第３ヒートシール１４により封止することで米袋１内に米を封入してスーパマーケットや米販売店の店頭に陳列して販売に供することができる。そして、購入者は手提げ孔１２を利用して携行することができる。
【００２１】
一方、購入者の自宅では、図５に示すように、長手方向の他端部に開設した開口部１１を上側に位置させ、第３ヒートシール１４を下側に位置させた上下の反転姿勢で米袋１を床面などに起立させたのち、第２ヒートシール１０と樹脂製のチャック１３の間を一点鎖線Ｃに沿って全てを切断して、第２ヒートシール１０を除去することによって樹脂製のチャック１３を目視可能位置に臨ませ、この樹脂製のチャック１３を図４のように開くことで米を取り出す開口部１５が形成され、開いた樹脂製のチャック１３を図３のように閉じることで前記開口部１５が封止されて、米袋１内に残存する米の変質劣化を防ぐことができる。
【００２２】
特に、樹脂製のチャック１３が前シート部８のヒートシール性樹脂フィルム３に熱圧着されて後シート部９に向けて突出する凸条部１３ａと、後シート部９のヒートシール性樹脂フィルム３に熱圧着されて凸条部１３ａを抜脱可能に嵌合する嵌合溝部１３ｂとで構成されていることにより（ただし、樹脂製のチャック１３を、前シート部８のヒートシール性樹脂フィルム３に熱圧着されて後シート部９に向けて突出する嵌合溝部１３ｂと、後シート部９のヒートシール性樹脂フィルム３に熱圧着されて嵌合溝部１３ｂに抜脱可能に嵌合する凸条部１３ａとで構成してもよい）、嵌合溝部１３ｂから凸条部１３ａを抜脱する簡単な操作によって樹脂製のチャック１３が開かれて、米を取り出すための開口部１５を形成することができ、嵌合溝部１３ｂに凸条部１３ａを嵌合する簡単な操作によって樹脂製のチャック１３が閉じられて、前記開口部１５を封止することができるので自宅での使用性が向上する。
【００２３】
他方、手提げ孔１２は、第１ヒートシール７の一部を切り抜いて設けられているので、長手向の寸法Ｌが幅方向の寸法Ｗよりも大きい通常の米袋１であると、この米袋１は寸法の大きい長手方向Ｌを横に指向した状態で携行されることになる。したがって、携行時における米袋１の揺動振幅が小さく抑制されるので携行が容易になる。しかも、米袋１の下端から路面や床面までの間隔を大きく確保できるので、路面や床面に目視し難い障害物が存在していても、この障害物との衝突を回避できるから携行時の安全性が向上する。特に、手提げ孔１２は、第１ヒートシール７の長手方向中央部およびその付近の一部を切り抜いて設けられていることにより、米袋１の携行時には米袋１の長手方向の中央部が自動的に把持されることになるので、長手方向を横に指向した状態でバランスよく米袋１を携行して、携行時の安全性の向上に寄与することができる。
【００２４】
また、手提げ孔１２が長手方向にのびる長円形に切り抜かれていることで、米袋１の携行時には、提げ手側の指における第１指（親指）を除く第２指〜第５指（人差し指，中指，薬指，小指）の４本の指を手提げ孔１２に挿通して把持することができるので、手提げした時に指に加わる米の重量を４本の指に分散して、各指の負担を軽減して携行時の痛みを和らげることができる。
【図面の簡単な説明】
【００２５】
【図１】本考案の実施形態を示す正面図である。
【図２】図１のＩＩ−ＩＩ線に沿う断面図である。
【図３】図１のＩＩＩ−ＩＩＩ線に沿うチヤックの嵌合状態を示す断面図である。
【図４】チヤックの開き状態を示す断面図である。
【図５】米を充填した状態を示す正面図である。
【図６】前パネルの一部を破断した従来例の正面図である。
【符号の説明】
【００２６】
１  米袋
２  和紙
３  ヒートシール性樹脂フィルム
４  シート材
５  長手方向の１辺
６  長手方向の他辺部
７  第１ヒートシール
８  前シート部
９  後シート部
１０  第２ヒートシール
１１  開口部
１２  提げ手孔
１３  樹脂製のチャック
１３ａ  凸条部
１３ｂ  嵌合溝部
１６  稲藁の短繊維
【図１】
0003144274.tif 000003
【図２】
0003144274.tif 000004
【図３】
0003144274.tif 000005
【図４】
0003144274.tif 000006
【図５】
0003144274.tif 000007
【図６】
0003144274.tif 000008